(57)【特許請求の範囲】
【請求項１】
液透過性トップシートとバックシートと前記両シートの間に挟まれた吸収コアとを含む吸収性物品において、
装着者の肌に接触する面に、皮膚保護成分を含有する層と、前記層の表面を覆う保持層とが設けられており、
皮膚保護成分を含有する層は、皮膚に油性膜を形成する化合物である、流動ポリイソプレン、スクワラン、プリスタン、オゾケライト、セレシン、マイクロクリスタリンワックス、ポリエチレン末、流動パラフィン、ワセリン、パラフィンの少なくとも一種の化合物を主体としており、
保持層は、分子量が７００〜１０００のポリエチレンオキシドで形成されていることを特徴とする吸収性物品。
【請求項２】
前記保持層は、融点が３５〜４０℃である請求項１記載の吸収性物品。
【請求項３】
前記皮膚保護成分を含有する層は、温度３５℃以上において流動性をもつ請求項１または２記載の吸収性物品。
【請求項４】
前記皮膚保護成分を含有する層は、保持層に包まれるように形成されている請求項１〜３のいずれかに記載の吸収性物品。
【請求項５】
前記各層が形成された領域が、前記トップシートの表面に設けられている請求項１〜４のいずれかに記載の吸収性物品。
【請求項６】
吸収性物品は、横漏れを防止するための防漏カフ及び／または装着者の脚周りからの漏れを防止するためのレッグカフを有しており、前記各層が形成された領域が、前記防漏カフ及び／またはレッグカフの表面に設けられている請求項１〜５のいずれかに記載の吸収性物品。
【発明の詳細な説明】
【０００１】
【発明の属する技術分野】
本発明は、使い捨ておむつ、生理用ナプキン、パンティライナー、尿取りパッドなどの吸収性物品に関する。更に詳しくは、肌を保護する成分を装着者の肌に与えることができる吸収性物品に関する。
【０００２】
【従来の技術及びその課題】
近年、排泄物を吸収させるため、使い捨ておむつ、生理用ナプキン、パンティライナー、尿取りパッドなどの吸収性物品が数多く使用されている。これら吸収性物品の装着中には、装着者の汗、尿、便、経血、おりものなどの排泄物によって吸収性物品内の湿度が高くなり、装着者に蒸れやかぶれなどが生じ易い。特に、排泄物が直接接する会陰部付近や、弾性部材が設けられている箇所が接する部分、例えばおむつであれば胴回りや足回り付近などにおいては、それが顕著である。蒸れやかぶれを防ぐために、皮膚保護成分を含んだローションやクリームを装着者の肌に塗布することも行われている。しかし、塗布するときに手が汚れたり、手間がかかるという欠点がある。特に自分自身でそういったものを塗布できない幼児や老人などにおいては、介護者が塗布しなければならず、これは介護者にとって大変手間のかかる作業である。
【０００３】
このような従来の問題に対し、特表平１０−５０９８９５号及び特表平１０−５０９８９６号には、ローション組成物がコーティングされたトップシートを持つおむつが開示されている。このローション組成物は、皮膚を保護するためのエモリエント剤と所定温度で流動化する不動化剤とが混合されたものである。しかし、製品の保管中や移動中においても所定温度になると不動化剤が流動化してしまうので、必要なエモリエント剤が装着前に流れてしまい、装着時に効果を表わすエモリエント剤が少量になってしまうことがある。またローション剤は水不溶性であるため、流動したローション組成物がトップシート表面に広がると、トップシートの透液性が阻害され、結果、吸収性物品の吸水性能が低下してしまう。
【０００４】
本発明の目的は、上記課題を解決するためのものであり、皮膚保護成分を効果的に装着者の皮膚に付与することができる吸収性物品を提供することにある。
【０００５】
本発明の他の目的は、吸収性物品の吸収性能を低下させることなく皮膚保護成分を装着者に付与できる吸収性物品を提供することにある。
【０００６】
【課題を解決するための手段】
本発明は、液透過性トップシートとバックシートと前記両シートの間に挟まれた吸収コアとを含む吸収性物品において、
装着者の肌に接触する面に、皮膚保護成分を含有する層と、前記層の表面を覆う保持層とが設けられており、
皮膚保護成分を含有する層は皮膚に油性膜を形成する化合物である、流動ポリイソプレン、スクワラン、プリスタン、オゾケライト、セレシン、マイクロクリスタリンワックス、ポリエチレン末、流動パラフィン、ワセリン、パラフィンの少なくとも一種の化合物を主体としており、
保持層は、分子量が７００〜１０００のポリエチレンオキシドで形成されていることを特徴とする吸収性物品である。
また、保持層は融点が３５〜４０℃である。
【０００７】
本発明の吸収性物品では、装着者の肌に接触する面に、皮膚保護成分を含有する層（下層）と、前記層の表面を覆う保持層（上層）とが設けられた領域が存在する。前記保持層（上層）は、必要とされる状況になるまで下層に含まれる皮膚保護成分を保持する。例えば、吸収性物品の装着時に汗をかき若しくは排泄が行なわれ、吸収性物品内が高湿度となったとき、前記保持層が流動して若しくは水分に溶解して、下層もしくは下層に含まれる皮膚保護成分が表面に現われ、皮膚保護成分が装着者の皮膚に付着する。よって、本発明の吸収性物品では、皮膚保護成分が適当なとき若しくは必要とされるときに皮膚に付着し、且つその成分は皮膚以外の部分に付着することがなく、無駄が生じにくい。さらに本発明において、保持層を水溶性のものとすれば、前記領域が設けられていたとしてもトップシートの透液性が阻害されにくい。
【０００９】
前記皮膚保護成分を含有する層は、皮膚に油性膜を形成する化合物から形成されていることが好ましい。このとき、前記皮膚保護成分を含有する層は、温度３５℃以上において流動性をもつことが好ましい。また、前記皮膚保護成分を含有する層は、保持層に包まれるように形成されていることが好ましい。
【００１１】
前記各層が形成された領域が、前記トップシートの表面に設けられていてもよい。または、吸収性物品は、横漏れを防止するための防漏カフ及び／または装着者の脚周りからの漏れを防止するためのレッグカフを有しており、前記各層が形成された領域が、前記防漏カフ及び／またはレッグカフの表面に設けられていてもよい。
【００１２】
【発明の実施の形態】
以下、図面を参照しながら、本発明の吸収性物品の一例である使い捨ておむつについて説明する。図１は本発明の吸収性物品であるおむつを受液側から見た平面図、図２は図１に示したおむつのＩＩ―ＩＩ線の断面図である。
【００１３】
図１に示す本発明の使い捨ておむつ１は、いわゆる砂時計形状のオープン型おむつであり、使用時に装着者の腹部に当てられる前面部２Ａと、使用時に尻部および／または背部に当てられる後面部２Ｃと、使用時に股間部に当てられる中間部２Ｂとを有する。前記前面部から股間を経て前記後面部に至る方向をＹ方向（長手方向）とし、それと直交する方向をＸ方向（幅方向）とする。また、図２に示すように、装着者側に向かう方向をＺ方向とする。
【００１４】
この使い捨ておむつ１は装着者側に向けられる透液性のトップシート１０と、外側に向けられる不透液性のバックシート１１と、前記トップシート１０と前記バックシート１１との間に挟まれる吸収コア１２とで構成されている。それぞれトップシート１０とバックシート１１と吸収コア１２は砂時計形状である。トップシート１０とバックシート１１は、吸収コア１２の周囲でホットメルト型接着剤などにより互いに接合されている。
【００１５】
装着時には、後面部２Ｃの後フラップ（Ｘ方向に突出している部分）が前面部２Ａのバックシート１１上に重ね合わされ、前記後面部２Ｃの後フラップのトップシート１０の両縁部に設けられた掛止シート１８と、前面部２Ａのバックシート１１の前フラップ（Ｘ方向に突出している部分）に設けられた掛止部１７とが、装着者のウエスト部分で掛止される。そして、ウェスト部に設けられた弾性部材１６が弾性収縮し、それらの結果、使い捨ておむつ１が腰周りにおいて装着者の体に保持、固定される。
【００１６】
さらに、本発明のおむつ１には、トップシート１０の上の両側部４、４側に、不透液性の帯状シート３０を設け、この帯状シート３０の中央側の側縁に弾性部材３１が設けられている。そして、その反対側の側縁及び前後の端部がトップシート１０の上面に接着されている。その結果、おむつ１の装着時には中央側の側縁が立ち上がるような横漏れ防止用の防漏カフ３２が一対形成され、防漏カフ３２のＺ方向における上方が装着者の肌に接触する。
【００１７】
また、おむつ１のＸ方向の両側部４、４において吸収コア１２が存在していない領域（吸収領域の外側）において、おむつ１のＹ方向に延びる弾性部材３５が、トップシート１０とバックシート１１の間に接着固定されている。この弾性部材３５がＹ方向に弾性収縮することにより、おむつ１のＸ方向の両側部４、４でトップシート１０およびバックシート１１が収縮させられ、おむつ１の装着時には、装着者の脚回りにおいて肌に接触するレッグカフが形成される。
【００１８】
本発明の吸収性物品１の吸収コア１１が存在する領域では、トップシート１０の受液側の表面には、皮膚保護成分を含有する層５０が設けられ、さらに保持層５１が層５０の表面を覆うように積層されている。
【００１９】
層５０は、人間の皮膚を刺激から防御するために皮膚最外層表面に油性膜を形成する化合物で形成されることが好ましい。皮膚上に形成された油性膜は、排泄物や界面活性剤などの化学的刺激や、おむつと皮膚との接触による物理的刺激から皮膚を保護する。油性膜を形成する化合物の性状としては、２５℃において液体・半固体（ワックス状）・固体のいずれであってもよいが、皮膚に延びて油性膜を形成するためには、２５℃以上、好ましくは３５℃以上の温度において、液体または半固体であることが好ましい。なお、人間の体温より高い温度である４０℃以上になっても液体または半固体とならない化合物であると油性膜が形成されにくい。したがって、本発明の油性膜を形成する化合物の性状としては、４０℃以下、好ましくは３７℃以下の温度で液体または半固体であるものが好ましい。
【００２０】
また、油性膜を形成する化合物は、皮膚上に形成した油性膜が汗や排泄物などの水分に溶けて流れないように、水不溶性であることが好ましい。ただし、水との混合振とう時に乳化する化合物であってもよい。さらに、油性膜を形成する化合物は親水性基を持つことが好ましい。この場合、トップシート１０の表面に大きく広がったとしても、トップシート１０の透液性を低下させにくい。なお、油性膜を形成する化合物は装着者の肌に付着するものであるから、無色、白色またはそれに近い色であることが好ましい。
【００２１】
油性膜を形成する化合物として、具体的に以下のものをあげることができる。ただし、油性膜を形成するものであれば、以下に述べるもの以外の化合物も使用できる。なお、以下にあげる化合物は単独でまたは２種以上を組合せて使用できる。
（１）植物油：グレープシード油、サフラワー油、大豆油などの乾性油や、ゴマ油、とうもろこし油、綿実油、菜種油、ヒマワリ油などの半乾性油や、アボガド油、アルモンド油、オリーブ油、サザンカ油、ツバキ油、パーシック油、落花生油等の不乾性油など。この中でも、経時的な安定性を考慮すると、半乾性油または不乾性油であることが好ましい。
（２）植物脂：カカオ脂、パーム油、パーム核油、モクロウ油、ヤシ油など。
（３）動物油脂：タートル油、ミンク油、卵黄油、牛脂、豚脂など。
（４）魚油：イワシ油、サンマ油、サバ油、メンハーデン油など。
（５）動物性ロウ：鯨ロウ、ミツロウ、ラノリンなど。
（６）植物性ロウ：カルナウバロウ、キャンデリラロウ、ホホバ油など。
（７）炭化水素：流動ポリイソプレン、スクワラン、プリスタン、オゾケライト、セレシン、マイクロクリスタリンワックス、ポリエチレン末、流動パラフィン、ワセリン、パラフィンなど。
（８）前記（１）〜（７）の油性成分に対して不飽和部分に水素を添加した化合物。
【００２２】
ただし、以上のべた油性膜を形成する化合物においては、皮膚刺激性がないように、香粧品に使用されている油脂が好ましい。さらに好ましくは、安価で且つ安全性の高いワセリンである。
【００２３】
油性膜を形成する化合物で構成された層５０には、その他の皮膚を保護する成分を、さらに含有させることができる。例えば、ボタン、オオゴン、オトギリソウ、カモミール、モモノハ、ビワノハ、ヨモギ、シソエキスなどの抗炎症成分、シルクフィブロイン、シルクセリシン、コラーゲン、海草エキスなどの保湿成分、緑茶、竹エキスなどの抗酸化（消臭）成分、天然果実酸（リンゴ酸、コハク酸、クエン酸、酒石酸、乳酸など）、アルカリ金属塩及びアルカリ土類金属塩（リン酸、炭酸など）などのｐＨ調整成分などである。なお、これらの成分は以下に述べる保持層５１に含有させることも可能である。
【００２５】
装着時においては保持層５１が装着者の肌に接触し且つ層５０を保護し、皮膚保護成分が必要とされる条件となると、初めて皮膚保護成分を含有する層５０が表面に現れて油性膜が形成される。製品の保管中や移動中などには層５０は殆ど変化しないが、製品が装着されて必要になったときに層５０の皮膚保護成分が表面に露出するので、効率が良くまた無駄が生じにくい。
【００２６】
さらに、吸収性物品１の装着時において層５０の皮膚保護成分が必要なときに確実にその成分が表面に現れて皮膚に付与できるように、保持層５１は融点が３５〜４０℃であり、この温度で流動性を示す。また、吸湿性または水溶解性を示すものであることが好ましい。保持層５１は好ましくは３７℃以下で吸湿性または水溶解性または流動性を示すことが好ましい。
【００２７】
保持層５１を構成する化合物の性状としては、層５０の皮膚保護成分が必要とされるまで層５０を保護するため、２５℃においてワックス状態である。これらの化合物を加熱して液体状もしくは半固体状にして塗工する。
【００２８】
さらに保持層５１は、装着者の皮膚に直接接するので、皮膚に刺激を与えるものは好ましくない。例えば、健康な皮膚はｐＨ４．５〜７．５であり、これに対応して保持層もｐＨ４．５〜７．５であることが好ましく、更に好ましくはｐＨ５．０〜７．０である。さらに保持層５１は、装着者の肌に付着することがあるので、無色、白色または白色に近い色であることが好ましい。
【００２９】
具体的に保持層５１を構成する化合物としては、融点が３５〜４０℃である分子量が７００〜１０００のポリエチレンオキシドである。
【００３１】
層５０、５１は、トップシート１０（基材）に各層を一定量塗工して形成することができる。例えば、印刷技術の応用によるグラビア塗工やフレキソ塗工などが使用できる。また、感熱性接着剤（ホットメルト接着剤など）の塗工技術を応用し、ホットメルトアプリケーターにより層を構成する化合物を溶融させ、（１）ギアポンプなどにより定量押し出し後、スロットコーターを用いて基材と接触するダイスにより基材上に直接塗工する方法や、（２）ダイスにより押し出し、その後圧空により基材上に吹き付ける方法や、（３）ダイスにより繊維状に押し出し基材に直接接合する方法などがあげられる。さらに、染色技術を応用させ、基材を直接塗工剤中に入れた後、余剰な塗工剤を絞るデッピング法などでもよい。
【００３２】
最小塗工量により塗工剤の効果を最大限に発揮するためには、出来るだけ基材表面繊維上部に塗工することが好ましく、上記の方法の中では、印刷技術応用（グラビア塗工やフレキソ塗工）、感熱性接着剤塗工技術を応用することが好ましい。例えば、図３に示すように、ロール６０から基材が供給され、その表面にコーター６１から層５０が塗工される。さらに、塗工された層５０の表面にコーター６２から層５１が塗工される。得られた層５０、５１が形成された基材を本発明の吸収性物品のトップシートとして使用する。なお、各層５０、５１の塗工パターンは、図２に示すように全面的にむらなく塗布することも可能であるが、図４（Ａ）に示すようなストライプ状や、図４（Ｂ）に示すような水玉模様状や、図４（Ｃ）に示すような格子状であってもよい。
【００３３】
さらに、層５０及び層５１の層構造は図２に示すように単純に２層を重ねて形成するだけではなく、図５（Ａ）に示すように層５０が層５１に包まれるようにして形成されていても良い。この場合、層５１が塗工された上に層５０が塗工され、さらにその上に層５１が塗工されており、層５０がトップシートなどの基材に染み込まないようになっている。また、図５（Ｂ）に示すように中央に位置する層５０が部分的に連続しないで設けられるようにしてもよい。この場合、層５０は図４（Ａ）〜（Ｃ）のいずれかのパターンにより形成することができる。図５（Ｃ）に示す構造は参考例である。
【００３４】
なお、層５０の塗工量は多ければ多いほど、装着者の皮膚を保護する効果は高くなる。特に撥水性の皮膚保護剤を用いる場合には、トップシートの液透過性を損わないために塗工量は０．１〜５０ｇ／ｍ2であることが好ましく、さらに好ましくは１〜３０ｇ／ｍ2である。一方、層５１の塗工量は湿度や温度が所定条件となったときに、層５０に含まれる成分が現れるようにするため、塗工量は０．１〜５０ｇ／ｍ2であることが好ましく、さらに好ましくは１〜３０ｇ／ｍ2である。
【００３５】
前記層５０、５１が設けられるトップシート１０は、例えば１．１〜５．５ｄｔｅｘのポリオレフィン系・ポリエステル系などの合成繊維、レーヨン等の半合成繊維、パルプ、コットンなどの天然繊維を用いた、目付は１０〜６０ｇ／ｍ2の不織布である。特に、トップシート１０としては強度が高くされ加工性に優れたサーマルボンディング不織布が好ましい。その他、親水処理された疎水性繊維、親水性繊維などで形成されたポイントボンド、エアースルー、スパンボンド、スパンレース不織布なども使用できる。さらに、ポリエチレン（密度０．８６〜１．１ｇ／ｍ3）やポリプロピレン（密度０．８９〜１．２ｇ／ｍ3）等を単独または複数の混合材料を押出し後、熱風または熱針により液透過性の貫通孔を設けたシート（いわゆるパーフォレーションウェブ）、フィルム上に繊維集合体を配し、熱風・熱針により液を透過させるための貫通孔を設けたシートを使用しても良い。ＪＩＳ  Ｌ  １０９２（繊維製品の防水性試験方法  耐水度試験Ａ法（低水圧法）で０〜３００ｍｍＨ2Ｏの耐水度）による液透過・吸収性、並びにＪＩＳ  Ｌ１９０６（一般長繊維不織布試験方法  通気性フラジール型法で５〜７００ｃｍ3／ｃｍ2／秒）の通気性を有するウェブであれば使用可能である。
【００３６】
バックシート１１は液不透過性で且つ通気性であり、例えばポリオレフィン系の樹脂シートなどにより形成されている。または、バックシートとして不織布を用い、バックシートと吸収コアとの間に防水性フィルムを介在させてもよい。また、その他の吸収性物品の上に重ねられて使用される場合は透液性シートで形成されていてもよい。また、塗工される層を確実に形成するため、塗工面となるシートの表面において密度が高くなるように、多層構造（多層抄）のシートとしてもよい。
【００３７】
吸収コア１２は、吸収性素材、例えば粉砕パルプあるいは粉砕パルプと高吸水性ポリマーの混合物などにより形成され、粉砕パルプあるいは粉砕パルプと高吸水性ポリマーとの混合物がティッシュなどの吸収性シートで包まれたものである。また、例えば係止部１７がゴム系粘着材やアクリル系樹脂などの粘着テープで、掛止シート１８が樹脂フィルムである。
【００３８】
なお、前記実施の形態では、吸収コア１２が存在する領域全てに各層５０、５１が設けられているが、領域全てに設けられていなくてもよい。例えば、かぶれなどが生じ易い腹部や尻部を保護するため且つトップシート１０の液透過性を低下させないため、使用時に装着者の腹部に当てられる前面部２Ａ及び／または使用時に尻部および／または背部に当てられる後面部２Ｃのみに、層５０、５１が設けられていてもよい。さらに吸収性物品１の他の箇所においても、装着時に装着者の皮膚に接触する部分であれば、層５０、５１を設けることができる。
【００３９】
図６は、本発明の他の実施の形態を示す部分断面図である。図６では、防漏カフ３２において、装着時に装着者の皮膚に接する領域、すなわち弾性部材３１が設けられている自由端側に各層５０、５１が設けられている。さらに、装着者の脚周りにおいて皮膚に密着するレッグカフが形成される部分である、弾性部材３５が設けられた側部４付近に層５０、５１が設けられている。このため、かぶれなどが発生し易い股部付近及び脚ぐりにおける皮膚が保護される。
【００４０】
このように、吸収性物品においてゴムが設けられている部分が当たる皮膚は、吸収性物品が皮膚にこすれるという物理的刺激が多く生じるので、特に皮膚を保護することが好ましい。その他、ウエスト部の弾性部材１６が設けられている付近に層５０、５１が設けられていても良い。
【００４１】
上記実施の形態においては吸収性物品がおむつである場合について述べたが、本発明は予めパンツ型に成形されたおむつ、尿取りパッド、生理用ナプキン、パンティライナーなどにも適用可能である。
【００４２】
【発明の効果】
本発明の吸収性物品では、湿度を感知する保持層が皮膚保護成分を含有する層を高湿度になるまで保護するので、吸収性物品内で高湿度となったとき、すなわち皮膚保護成分が適当なとき若しくは必要とされるときに皮膚に付着し、且つその成分は皮膚以外の部分に付着することがなく、無駄が生じにくい。
【００４３】
さらに本発明において、保持層を水溶性のものとすれば、トップシートの透液性が阻害されにくい。
【図面の簡単な説明】
【図１】本発明の吸収性物品であるおむつを受液側から見た平面図
【図２】図１に示したおむつのＩＩ―ＩＩ線の断面図
【図３】皮膚保護成分を含有する層と保持層とを形成する工程図
【図４】（Ａ）（Ｂ）（Ｃ）はそれぞれ層の塗工パターンの他の例を示す平面図
【図５】（Ａ）（Ｂ）はそれぞれ層の塗工構造の他の例を示す断面図、（Ｃ）は層の塗工構造の参考例を示す断面図
【図６】本発明の他の実施の形態を示す部分断面図
【図１】
0003805159.tif 000002
【図２】
0003805159.tif 000003
【図３】
0003805159.tif 000004
【図４】
0003805159.tif 000005
【図５】
0003805159.tif 000006
【図６】
0003805159.tif 000007